(57)【要約】【課題】樹脂かすを作ることなくアース端子の保持力を高める。【解決手段】アース端子４０の本体部４１の側縁５０には、圧入刃５１が張り出し形成され、かつ同圧入刃５１には突出部５３が形成されているとともに、圧入刃５１の後方位置に、同圧入刃５１よりも張り出し量が大きい補助圧入刃５５が形成されている。ハウジング２０には、アース端子４０の端子収容室３０が形成され、同端子収容室３０には、本体部４１の側縁５０が挿入される挿入溝３１が形成されている。アース端子４０における本体部４１の側縁５０が挿入溝３１に対し、圧入刃５１と補助圧入刃５５とを側壁３５に順次に食い込ませ、圧入刃５１の突出部５３を天井壁３６に食い込ませつつ圧入されて装着される。【選択図】図６
2014035855.tif 000002
【特許請求の範囲】
【請求項１】
アース線に接続された端子とブラケット等のアース部材とにそれぞれ接触される接触片を設けた板状の本体部を有するアース端子と、
このアース端子が収容される端子収容室を有するコネクタハウジングとが具備され、
前記アース端子の前記本体部の側縁には圧入刃が張り出し形成され、かつ同圧入刃には突出部が形成されている一方、
前記端子収容室には前記アース端子の前記本体部の側縁が挿入される挿入溝が形成され、
前記アース端子における前記本体部の側縁が前記挿入溝に対し、前記圧入刃を前記挿入溝の側壁に、前記突出部を同挿入溝の天井壁にそれぞれ食い込ませつつ圧入されることで装着されるようにしたものにおいて、
前記アース端子の前記本体部の側縁における前記圧入刃の挿入方向の後方位置には、前記圧入刃よりも張り出し量が大きい補助圧入刃が形成されていることを特徴とするアース端子の装着構造。
【請求項２】
前記補助圧入刃は、前記挿入方向の前縁から後縁に向けて次第に張り出し量が多くなるテーパ状に形成され、同補助圧入刃の前縁の張り出し量は前記圧入刃の張り出し量よりも小さく、前記補助圧入刃の後縁の張り出し量は前記圧入刃の張り出し量よりも大きく設定されていることを特徴とする請求項１記載のアース端子の装着構造。
【請求項３】
アース線に接続された端子とブラケット等のアース部材とにそれぞれ接触される接触片を設けた板状の本体部を有するアース端子と、
このアース端子が収容される端子収容室を有するコネクタハウジングとが具備され、
前記アース端子の前記本体部の側縁には圧入刃が張り出し形成され、かつ同圧入刃には突出部が形成されている一方、
前記端子収容室には前記アース端子の前記本体部の側縁が挿入される挿入溝が形成され、
前記アース端子における前記本体部の側縁が前記挿入溝に対し、前記圧入刃を前記挿入溝の側壁に、前記突出部を同挿入溝の天井壁にそれぞれ食い込ませつつ圧入されることで装着されるようにしたものにおいて、
前記アース端子の前記本体部の側縁における前記圧入刃の挿入方向の後方位置には、前記圧入刃と張り出し量が等しい補助圧入刃が形成され、かつこの補助圧入刃には前記圧入刃の前記突出部よりも突出量の大きい補助突出部が形成されていることを特徴とするアース端子の装着構造。
【請求項４】
前記補助圧入刃の前記補助突出部は、同補助圧入刃における前記挿入方向に沿った側縁を内側に折り重ねて形成されていることを特徴とする請求項３記載のアース端子の装着構造。
【請求項５】
前記アース端子の前記本体部の両側縁には、前記圧入刃と前記補助圧入刃の組が線対称をなして形成されていることを特徴とする請求項１ないし請求項４のいずれか一項に記載のアース端子の装着構造。
【発明の詳細な説明】
【技術分野】
【０００１】
本発明は、アース線をボディに接続するためのアース端子をハウジングに装着する構造に関する。
【背景技術】
【０００２】
従来、この種のアース端子の装着構造の一例として、下記特許文献１に記載のものが知られている。このものは、アース端子が、方形板状の本体部に対して、アース線に接続された端子と車体に設けられたブラケットとにそれぞれ接触される接触片を設けた形状であるとともに、ハウジングには、アース端子が収容される端子収容室が設けられている。そして、アース端子の本体部の側縁には圧入刃が張り出し形成され、かつ同圧入刃には跳ね上げ部が切り起こし形成されている一方、端子収容室にはアース端子の本体部の側縁が挿入される挿入溝が形成されており、アース端子における本体部の側縁が挿入溝に対し、圧入刃を挿入溝の側壁に、跳ね上げ部を同挿入溝の天井壁にそれぞれ食い込ませつつ圧入されることで装着されるようになっている。
【先行技術文献】
【特許文献】
【０００３】
【特許文献１】特開２００９−１７０３０４号公報
【発明の概要】
【発明が解決しようとする課題】
【０００４】
上記したアース端子の装着構造において、例えばハウジングを構成する合成樹脂の材質や、アース端子の素材である金属板の板厚等の条件によっては、アース端子を抜け止めする保持力に劣る場合がある。保持力を上げるために、例えば圧入刃に形成した跳ね上げ部の跳ね上がり量を大きく採ったものが提案されたが、挿入時に跳ね上げ部が挿入溝の天井壁を削って、いわゆる樹脂かすができるという問題がある。圧入刃の張り出し量を大きく採った場合も、同じように挿入溝の側壁を削って樹脂かすができることが懸念される。  
本発明は上記のような事情に基づいて完成されたものであって、その目的は、樹脂かすを作ることなくアース端子の保持力を高めるところにある。
【課題を解決するための手段】
【０００５】
本発明は、アース線に接続された端子とブラケット等のアース部材とにそれぞれ接触される接触片を設けた板状の本体部を有するアース端子と、このアース端子が収容される端子収容室を有するコネクタハウジングとが具備され、前記アース端子の前記本体部の側縁には圧入刃が張り出し形成され、かつ同圧入刃には突出部が形成されている一方、前記端子収容室には前記アース端子の前記本体部の側縁が挿入される挿入溝が形成され、前記アース端子における前記本体部の側縁が前記挿入溝に対し、前記圧入刃を前記挿入溝の側壁に、前記突出部を同挿入溝の天井壁にそれぞれ食い込ませつつ圧入されることで装着されるようにしたものにおいて、前記アース端子の前記本体部の側縁における前記圧入刃の挿入方向の後方位置には、前記圧入刃よりも張り出し量が大きい補助圧入刃が形成されているところに特徴を有する。
【０００６】
上記構成によれば、アース端子の本体部の側縁を端子収容室の挿入溝に挿入することに伴い、まず前側の圧入刃が挿入溝の側壁に対してうっすらと跡を付け、続いて後側の補助圧入刃が、その跡に対して食い込む。補助圧入刃が側壁に対して深く食い込むことで、高い抜け止め力すなわち保持力が得られる。ただし、補助圧入刃は一旦押し付けられた跡に改めて食い込むのであるから、いきなり側壁に食い込む場合と違って樹脂材を削る量が抑制され、樹脂かすが出ることが防止される。
【０００７】
また、別の発明では、アース線に接続された端子とブラケット等のアース部材とにそれぞれ接触される接触片を設けた板状の本体部を有するアース端子と、
このアース端子が収容される端子収容室を有するコネクタハウジングとが具備され、前記アース端子の前記本体部の側縁には圧入刃が張り出し形成され、かつ同圧入刃には突出部が形成されている一方、前記端子収容室には前記アース端子の前記本体部の側縁が挿入される挿入溝が形成され、前記アース端子における前記本体部の側縁が前記挿入溝に対し、前記圧入刃を前記挿入溝の側壁に、前記突出部を同挿入溝の天井壁にそれぞれ食い込ませつつ圧入されることで装着されるようにしたものにおいて、前記アース端子の前記本体部の側縁における前記圧入刃の挿入方向の後方位置には、前記圧入刃と張り出し量が等しい補助圧入刃が形成され、かつこの補助圧入刃には前記圧入刃の前記突出部よりも突出量の大きい補助突出部が形成されているところに特徴を有する。
【０００８】
上記構成によれば、アース端子の本体部の側縁を端子収容室の挿入溝に挿入することに伴い、まず前側の圧入刃の突出部が挿入溝の天井壁に対してうっすらと跡を付け、続いて後側の補助圧入刃の補助突出部が、その跡に対して食い込む。補助圧入刃の補助突出部が天井壁に対して深く食い込むことで、高い抜け止め力すなわち保持力が得られる。ただし、補助圧入刃の補助突出部は一旦押し付けられた跡に改めて食い込むのであるから、いきなり天井壁に食い込む場合と違って樹脂材を削る量が抑制され、樹脂かすが出ることが防止される。
【０００９】
さらに、以下のような構成としてもよい。  
（１）前記補助圧入刃は、前記挿入方向の前縁から後縁に向けて次第に張り出し量が多くなるテーパ状に形成され、同補助圧入刃の前縁の張り出し量は前記圧入刃の張り出し量よりも小さく、前記補助圧入刃の後縁の張り出し量は前記圧入刃の張り出し量よりも大きく設定されている。補助圧入刃の食い込み動作がよりスムーズに行われる。
【００１０】
（２）前記補助圧入刃の前記補助突出部は、同補助圧入刃における前記挿入方向に沿った側縁を内側に折り重ねて形成されている。補助突出部の剛性が高く、より高い保持力を得ることができる。
【００１１】
（３）前記アース端子の前記本体部の両側縁には、前記圧入刃と前記補助圧入刃の組が線対称をなして形成されている。アース端子を押し込む際に左右でバランス良く抵抗を受け、アース端子を真直姿勢を保って圧入することができる。
【発明の効果】
【００１２】
本発明によれば、樹脂かすを作ることなくアース端子の保持力を高めることができる。
【図面の簡単な説明】
【００１３】
【図１】本発明の実施形態１に係るアース端子の装着動作を示す斜視図
【図２】コネクタの縦断面図
【図３】アース端子の背面図
【図４】同側面図
【図５】同平面図
【図６】アース端子が端子収容室に挿入される前の状態の平断面図
【図７】図６のVII部の拡大図
【図８】アース端子が端子収容室に挿入された状態の平断面図
【図９】本発明の実施形態２に係るアース端子の正面図
【図１０】同平面図
【図１１】同側面図
【図１２】図１１のXII部の拡大図
【図１３】アース端子が端子収容室に挿入される前の状態の一部切欠縦断面図
【図１４】アース端子が端子収容室に挿入された状態の縦断面図
【発明を実施するための形態】
【００１４】
＜実施形態１＞
本発明の実施形態１を図１ないし図８によって説明する。この実施形態では、高周波コネクタＣを例示しており、車両のボディに設けられたブラケット（図示せず）に取り付けられ、図示しない相手コネクタと嵌合されるようになっている。  
当該コネクタＣは大まかには、図１及び図２に示すように、コネクタハウジング２０（以下、単にハウジング２０）と、同軸ケーブル１０の端末に接続されて上記のハウジング２０に収容される２個のシールド端子１５と、このシールド端子１５の外導体１６とブラケットとを電気的に接続するべく同じくハウジング２０に収容されるアース端子４０とを備えて構成されている。
【００１５】
シールド端子１５は、同軸ケーブル１０の芯線と接続された内導体の外周に、絶縁材からなる誘電体を介して、同軸ケーブル１０の編組線１１（アース線）と接続された外導体１６が嵌着された構造である。
【００１６】
ハウジング２０は合成樹脂材によって形成され、本体部２１の前面に、相手コネクタが嵌合されるフード部２２が設けられている。本体部２１には、上記したシールド端子１５が収容されるキャビティ２３が、横方向に２個並んで形成されている。キャビティ２３は、前後両端が開口した形状であって、その天井壁にランス２４が設けられているとともに、底壁における幅方向の中央部には、後記するアース端子４０用の端子収容室３０の本体板挿入溝３１に連通する連通溝２５が形成されている。  
本体部２１の上面にはリテーナ装着孔２７が形成され、同リテーナ装着孔２７には、リテーナ２８が図２に示す仮係止位置から本係止位置に向けて押し込み可能に装着されている。
【００１７】
シールド端子１５は対応するキャビティ２３内に後方から挿入され、図２に示すように、外導体１６の先端部がフード部２２の奥面から所定寸法突出した正規位置まで挿入されたところで、ランス２４により一次係止され、そののちリテーナ２８を本係止位置に押し込むと、ランス２４を弾性変位不能に押さえ込むことで間接的に二重係止され、強固に抜け止めされてキャビティ２３内に収容されるようになっている。  
ハウジング２０の右側面には、上記したボディに設けられたブラケットが後方から差し込まれて取り付けられるソケット部２９が形成されている。
【００１８】
次に、アース端子４０について説明する。本実施形態のアース端子４０は２極用であって、導電性に優れた金属板をプレス加工することによって、図３ないし図５に示す形状に形成されている。  
アース端子４０は、平面視略方形をなす本体板４１を備えているとともに、同本体板４１の背面視で右側縁の後端部から側板４２が立ち上がり形成されている。したがってアース端子４０は、本体板４１と側板４２とで背面視Ｌ型をなして形成されている。
【００１９】
本体板４１における前側領域（図５の上側領域）には、シールド端子１５の外導体１６と弾性接触する２本の端子接触片４４が、左右方向に所定間隔（ハウジング２０のキャビティ２３のピッチと同じ）を開けて形成されている。端子接触片４４は、本体板４１に対して前縁に開口して入れられた一対のスリットの間の部分を、さらに前方に延出してなる舌片が、その先端側を下方にヘアピン状に回曲することで片持ち状に形成されている。端子接触片４４はまた、その先端部（回曲部）が斜め上方を向いた斜め姿勢をなすように起こされており、同先端部が接点部４４Ａとなっている。端子接触片４４が起こされたことにより、一対のスリットの対向側壁の間において所定幅の切り欠き溝４５が形成されている。端子接触片４４の自由端部には丸みが付けられているとともに、同自由端部には、切り欠き溝４５よりも幅広の拡幅部４６が張り出し形成されており、同拡幅部４６が切り欠き溝４５を横切って本体板４１に当てられていることで、端子接触片４４の弾発力を高め、また過度の撓み変形を規制するように機能している。
【００２０】
一方、上記した側板４２の前縁には、ブラケットに弾性接触するブラケット接触片４８が、前方に向けて片持ち状に形成されている。ブラケット接触片４８は、外側に向けて膨らんだ緩やかな山形状に形成され、頂上が接点部４８Ａとなっているとともに、先端側が内外方向に弾性撓み可能となっている。
【００２１】
ハウジング２０の本体部２１の背面には、アース端子４０を後方から挿入して収容する端子収容室３０が形成されている。端子収容室３０は、アース端子４０の本体板４１が緊密に挿入される本体板挿入溝３１と、同側板４２が緊密に挿入される側板挿入溝３２とが繋がって、背面視Ｌ型に形成されている。  
本体板挿入溝３１は、左右のキャビティ２３の下面側に亘って形成され、各キャビティ２３の底壁に形成された連通溝２５が、それぞれ本体板挿入溝３１の上面と連通している。  
側板挿入溝３２は、背面視右側のキャビティ２３とソケット部２９との間に形成されており、ソケット部２９の底壁に形成された連通開口２９Ａが、側板挿入溝３２の外面側に連通している。
【００２２】
なお、本体板挿入溝３１の底面における奥端側には、図６に示すように、アース端子４０の本体板４１に形成された２本の切り欠き溝４５に個別に嵌る位置決め部３３が段差状に形成されている。
【００２３】
続いて、アース端子４０をハウジング２０の端子収容室３０に抜け止めして装着する部分の構造について説明する。基本的には、アース端子４０の本体板４１が端子収容室３０の本体板挿入溝３１に圧入されるようになっている。  
より詳細には、図６に示すように、本体板挿入溝３１の左右の側壁３５間の幅は、アース端子４０の本体板４１における左右の側縁５０間の幅と同じか少し大きい寸法に設定されている。なお、同本体挿入溝３１の入口側は、誘い込み用に若干幅広に形成されている。また、図２に示すように、本体板挿入溝３１の高さは、アース端子４０の本体板４１の厚さと同じか少し大きい寸法に設定されている。
【００２４】
さて、アース端子４０の本体板４１の左右の側縁５０における長さ方向のほぼ中央部には、圧入刃５１と補助圧入刃５５とが前後に並んだ形態で、かつ左右対称位置において形成されている。  
図７に詳細に示すように、前側の圧入刃５１は、従来既存の圧入刃とほぼ同じであって、前後に応力緩和用の凹部５２を形成することにより、平面視でやや前後方向に長い方形状に形成されており、同圧入刃５１の側縁の本体板４１の側縁５０からの張り出し量ａ１が、対向する本体挿入溝３１の側壁３５に対して若干食い込む程度に設定されている。なお、同圧入刃５１の側縁前部の角部には、誘い込み用に丸みが付けられている。
【００２５】
また、同圧入刃５１の後端部には、跳ね上げ部５３（本発明の突出部に相当）が切り起こしにより形成されている。跳ね上げ部５３は、図１に示すように、後方の斜め上方を指向して形成されており、跳ね上げ部５３の先端の圧入刃５１の上面からの突出量は、本体板挿入溝３１の左右の側縁部の天井壁３６に若干食い込む程度に設定されている。
【００２６】
補助圧入刃５５は、圧入刃５１の所定寸法後方、詳細には凹部５２の少し後方位置において、側縁から外方に張り出す形態で形成されている。ただし、同補助圧入刃５５では、その側縁が、前端から後端に向けて次第に張り出し量が多くなるテーパ縁５６として形成されている。ここで、補助圧入刃５５のテーパ縁５６の前端における本体板４１の側縁５０からの張り出し量は、上記した圧入刃５１の張り出し量ａ１よりも小さくされているのに対して、テーパ縁５６の後端における本体板４１の側縁５０からの張り出し量ａ２が、圧入刃５１の張り出し量ａ１の１．５倍程度に大きく設定されている。
【００２７】
本実施形態は上記のような構造であって、コネクタＣは以下のようにして組み付けられる。  
まず、図１の矢線に示すように、アース端子４０がハウジング２０の背面に形成された端子収容室３０に向けて挿入される。それに伴い、アース端子４０の本体板４１が、図６の矢線に示すように、本体板挿入溝３１に対して挿入される。
【００２８】
本体板４１が本体板挿入溝３１に挿入されると、本体板４１の左右の側縁５０の圧入刃５１と補助圧入刃５５が、本体板挿入溝３１の左右の側壁３５に食い込み、また、圧入刃５１に設けられた跳ね上げ部５３が天井壁３６に食い込みながら押し込まれ、図８に示すように、本体板４１の先端が本体板挿入溝３１の奥縁に当たったところで押し込みが停止される。  
ここで特に、本体板４１の左右の側縁５０が圧入される部分では、まず前側の圧入刃５１が本体板挿入溝３１の側壁３５に対してうっすらと跡を付け、続いて後側の補助圧入刃５５が、その跡に対して食い込むように機能する。図８に示すように、補助圧入刃５５が側壁３５に対して深く食い込むことで、本体板４１に対してはより高い抜け止め力すなわち保持力が得られる。
【００２９】
このようにアース端子４０の本体板４１が本体板挿入溝３１内に正規位置まで圧入されると、同本体板４１に設けられた左右２本の端子接触片４４が、図２に参照して示すように、連通溝２５を通して各キャビティ２３の底部側に臨む。また、側板４２が側板挿入溝３２に挿入され、同側板４２の前縁に設けられたブラケット接触片４８が、連通開口２９Ａを通してソケット部２９内に臨むことになる。
【００３０】
上記のようにアース端子４０が装着されたら、リテーナ２８が仮係止位置に仮保持された状態において、各キャビティ２３に対して、同軸ケーブル１０の端末に接続されたシールド端子１５が後方から挿入され、正規位置まで押し込まれたところで、図２に示すようにシールド端子１５がランス２４により一次係止され、このときアース端子４０の対応する端子接触片４４が、外導体１６の下面に対して弾性的に接触する。続いてリテーナ２８を本係止位置に押し込むことで、両シールド端子１５が二重係止される。以上により、コネクタＣの組み付けが完了する。
【００３１】
組み付けられたコネクタＣは、同様の高周波用の相手コネクタと嵌合され、当該コネクタＣのシールド端子１５が、相手コネクタの対応するシールド端子と嵌合接続される。そののち嵌合接続された両コネクタは、車両のブラケットに取り付けられる。具体的には、コネクタＣのハウジング２０の側面に設けられたソケット部２９がブラケットに挿入されて取り付けられる。それに伴い、ソケット部２９内に臨んだアース端子４０のブラケット接触片４８が、ブラケットに対して弾性的に接触する。  
その結果、当該コネクタＣ並びに相手コネクタから引き出された同軸ケーブル１０の編組線１１（アース線）が、アース端子４０を介して車両に設けられたブラケットと電気的に接続され、すなわちアースが採られることになる。
【００３２】
本実施形態では、アース端子４０の本体板４１を端子収容室３０における本体板挿入溝３１に圧入する部分において、本体板４１の左右の側縁５０に、既存の圧入刃５１に加えて、その後方位置に、圧入刃５１よりも大きい張り出し量を持った補助圧入刃５５を形成した構造としている。そのため、アース端子４０の本体板４１を本体板挿入溝３１に挿入した場合に、まず前側の圧入刃５１が本体板挿入溝３１の側壁３５に対してうっすらと跡を付け、続いて後側の補助圧入刃５５が、その跡に対して食い込むように作用し、補助圧入刃５５が側壁３５に対して深く食い込むことにより、高い抜け止め力すなわち保持力が得られる。ただし、補助圧入刃５５は一旦押し付けられた跡に改めて食い込むのであるから、いきなり側壁３５に食い込む場合と違って樹脂材を削る量が抑制され、樹脂かすが出ることが防止される。
【００３３】
また、補助圧入刃５５の外縁は、挿入方向の前縁から後縁に向けて次第に張り出し量が多くなるテーパ縁５６として形成され、同補助圧入刃５５の前縁の張り出し量が圧入刃５１の張り出し量ａ１よりも小さく、後縁の張り出し量ａ２は圧入刃５１の張り出し量ａ１よりも大きく設定されているから、補助圧入刃５５自身の食い込み動作がスムーズに行われる。  
圧入刃５１と補助圧入刃５５の組が、本体板４１の左右の側縁５０において対称をなすように設けられているから、本体板４１を押し込む際に左右でバランス良く抵抗を受け、本体板４１すなわちアース端子４０を真直姿勢を保って圧入することができる。
【００３４】
＜実施形態２＞
次に、本発明の実施形態２を図９ないし図１４によって説明する。この実施形態２は、アース端子４０Ａの本体板４１の両側縁５０に追加して備える補助圧入刃６０の構造に変更が加えられている。  
以下には、実施形態１との相違点を主に説明し、実施形態１と同一機能を有する部位、部材については、同一符号を付すことにより説明を省略しまたは簡略化する。
【００３５】
この実施形態２の補助圧入刃６０は、図９ないし図１１に示すように、前後の凹部５２，５２Ａの間から外方に突出形成された幅広かつ短寸の舌片の突出端が内側に折り重ねられることによって、補助圧入刃６０の上面に、圧入刃５１の跳ね上げ部５３と同幅の重畳部６１（本発明の補助突出部に相当）が形成された構造である。  
この補助圧入刃６０の張り出し量は、圧入刃５１のそれと同じに設定されている一方、図１２に示すように、補助圧入刃６０に形成された重畳部６１の同補助圧入刃６０の上面からの突出量ｂ２が、圧入刃５１に切り起こし形成された跳ね上げ部６３の突出量ｂ１の２倍程度に大きく採られている。
【００３６】
アース端子４０Ａをハウジング２０の背面に形成された端子収容室３０に装着するには、図１３の矢線に示すように、アース端子４０Ａの本体板４１が本体板挿入溝３１に対して挿入される。本体板４１が本体板挿入溝３１に挿入されると、本体板４１の左右の側縁５０の圧入刃５１と補助圧入刃６０が、本体板挿入溝３１の左右の側壁３５に食い込み、また、圧入刃５１と補助圧入刃６０にそれぞれ設けられた跳ね上げ部５３と重畳部６１が、本体板挿入溝３１の左右の側縁部の天井壁３６に食い込みながら押し込まれ、図１４に示すように、本体板４１の先端が本体板挿入溝３１の奥縁に当たったところで押し込みが停止される。
【００３７】
ここで特に、本体板４１の左右の側縁５０に設けられた跳ね上げ部５３と重畳部６１とが天井壁３６に圧入される部分では、まず前側の圧入刃５１の跳ね上げ部５３が天井壁３６に対してうっすらと跡を付け、続いて後側の補助圧入刃６０の重畳部６１が、その跡に対して食い込むように作用する。
【００３８】
すなわち、図１４に示すように、補助圧入刃６０の重畳部６１が天井壁３６に対して深く食い込むことにより、本体板４１ひいてはアース端子４０Ａに対して高い抜け止め力すなわち保持力が得られる。ただし、補助圧入刃６０の重畳部６１は一旦押し付けられた跡に改めて食い込むのであるから、いきなり天井壁３６に食い込む場合と違って樹脂材を削る量が抑制され、樹脂かすが出ることが防止される。
【００３９】
補助圧入刃６０の重畳部６１は、同補助圧入刃６０における側縁を内側に折り重ねて形成されているから、圧入刃５１に切り起こして形成した跳ね上げ部５３と比べて剛性が高く、天井壁３６により深く食い込んでより高い保持力を得ることができる。  
圧入刃５１と補助圧入刃６０の組が、本体板４１の左右の側縁５０において対称をなすように設けられていることから、左右でバランス良く抵抗を受けて本体板４１すなわちアース端子４０Ａを真直姿勢を保って圧入することができることは、上記実施形態１と同様である。
【００４０】
＜他の実施形態＞
本発明は上記記述及び図面によって説明した実施形態に限定されるものではなく、例えば次のような実施形態も本発明の技術的範囲に含まれる。  
（１）実施形態１において、補助圧入刃の側縁はテーパ縁でなくとも、張り出し量が圧入刃よりも大きい限り、挿入方向と平行な直線縁であってもよい。  
（２）実施形態２において、補助圧入刃に設ける補助突出部は、補助圧入刃の側縁を直角に起こしたり、圧入刃と同様に跳ね上げ部を切り起こし形成する等、他の手段によってもよい。
【００４１】
（３）圧入刃と補助圧入刃との組は、アース端子の本体板の一方の側縁のみに形成されていてもよく、そのようなものも本発明の技術的範囲に含まれる。  
（４）上記実施形態では、コネクタがブラケットに取り付けられるものを例示したが、アース端子に形成された一方の接触片が他のアース部材に接触した状態で取り付けられる限り、ブラケットに取り付けられないタイプのものにも、本発明は適用可能である。  
（５）アース端子について、端子接触片の本数すなわち極数は、上記実施形態に例示した２極に限らず、１極または３極以上であってもよい。
【符号の説明】
【００４２】
Ｃ…コネクタ
１０…同軸ケーブル
１１…編組線（アース線）
１５…シールド端子
１６…外導体（端子）
２０…コネクタハウジング
２３…キャビティ
２９…ソケット部
３０…端子収容室
３１…本体板挿入溝（挿入溝）
３５…側壁
３６…天井壁
４０，４０Ａ…アース端子
４１…本体板（本体部）
４４…端子接触片（接触片）
４８…ブラケット接触片（接触片）
５０…側縁
５１…圧入刃
５３…跳ね上げ部（突出部）
５５…補助圧入刃
５６…テーパ縁
６０…補助圧入刃
６１…重畳部（補助突出部）
【図１】
2014035855.tif 000003
【図２】
2014035855.tif 000004
【図３】
2014035855.tif 000005
【図４】
2014035855.tif 000006
【図５】
2014035855.tif 000007
【図６】
2014035855.tif 000008
【図７】
2014035855.tif 000009
【図８】
2014035855.tif 000010
【図９】
2014035855.tif 000011
【図１０】
2014035855.tif 000012
【図１１】
2014035855.tif 000013
【図１２】
2014035855.tif 000014
【図１３】
2014035855.tif 000015
【図１４】
2014035855.tif 000016